(57)【要約】【課題】  使用時に、パッド上に配設した薬液封入室内の薬液をパッドから外部に流出させることなく該パッドの中央部に集中的に含浸させ、しかるのち、パッド内に全面的に拡散させるようにする。【解決手段】  粘着シート上に貼着したパッド上に底面開口部を薄膜密閉片によって閉止してなる薬液封入室を配設し、使用時に上記薄膜密閉片を剥離することによって薬液をパッドに含浸させるようにした救急用絆創膏において、上記薄膜密閉片を一軸延伸フィルムにより形成してその一端部の幅方向の中央部に互いに平行なスリットを設けていると共に該スリット間の部分に引抜片を連設してあり、この引抜片を引っ張ることによって薄膜密閉片の幅方向の中央部のみを剥離して薬液封入室の底面中央部を開口させ、薬液をパッドの中央部に含浸させるようにしている。【選択図】    図１
2005288080.tif 000002
【特許請求の範囲】
【請求項１】
粘着シートの上面中央部に貼着したパッド上に底面開口部が薄膜密閉片により閉止されている薬液封入室を配設し、この薬液封入室を粘着シート上に剥離自在に貼着した剥離紙により上記パッド上に保持していると共に上記薄膜密閉片の下面とパッドの上面間に一端が該薄膜密閉片の一端に連設し且つ他端部が薄膜密閉片の他端側からパッドの上方側に引き出されてなる引抜片を介在させて該引抜片の他端部を張引することにより薬液封入室の底面開口部から薄膜密閉片を剥離するように構成した救急用絆創膏において、上記薄膜密閉片と引抜片とをこれらの薄膜密閉片と引抜片との長さ方向に延伸した一軸延伸フィルムにより形成していると共に、引抜片の幅を薄膜密閉片よりも小幅に形成してその一端を薄膜密閉片の幅方向の一端中央部に折り返し状態に一体に連設していることを特徴とする救急用絆創膏。
【請求項２】
薬液封入室の底面開口部の周縁に水平状に突設したフランジ部の下面に薄膜密閉片の上面における四方周縁部を接着し、この薄膜密閉片の一端部を上記接着剤層から外方に突出した非接着部にしてこの非接着部に引抜片の幅と同一幅でもって互いに平行なスリットを形成し、このスリット間の薄膜密閉片に上記引抜片を一体に連設していることを特徴とする請求項１に記載の救急用絆創膏。
【請求項３】
粘着シートの上面中央部に貼着したパッド上に底面開口部がアルミ箔よりなる薄膜密閉片で閉止された薬液封入室を配設し、この薬液封入室を粘着シート上に剥離自在に貼着した剥離紙により上記パッド上に保持させてなる救急用絆創膏において、上記アルミ箔よりなる薄膜密閉片とパッド間に合成樹脂シート片よりなる引抜片の一端部を介在させて該一端部を薄膜密閉片の下面の中央部にのみ接着剤層を介して一体に接着し、他端部を薄膜密閉片の他端側からパッドの上方側に引き出して該他端部を張引することにより上記薄膜密閉片の中央部を破壊させて薬液封入室の底面を開口させるように構成していることを特徴とする救急用絆創膏。
【請求項４】
引抜片の一端部を上方に折り返してその折り返し端部を薄膜密閉片の下面中央部に接着剤層を介して接着していることを特徴とする請求項３に記載の救急用絆創膏。
【請求項５】
粘着シートの上面中央部に貼着したパッド上に底面開口部が合成樹脂シート材よりなる薄膜密閉片で閉止された薬液封入室を配設し、この薬液封入室を粘着シート上に剥離自在に貼着した剥離紙により上記パッド上に保持させてなる救急用絆創膏において、上記薄膜密閉片の中央部に薬液流出口を設けている一方、この薄膜密閉片と上記パッド間に合成樹脂シート片よりなる引抜片の一端部を介在させて該一端部を粘着剤層を介して上記薬液流出口の周縁部に剥離可能に貼着して薬液流出口を閉止していると共にこの引抜片の他端部を薄膜密閉片の他端側からパッドの上方側に引き出して該他端部を張引することにより上記薄膜密閉片の薬液流出口を開口させるように構成していることを特徴とする救急用絆創膏。
【請求項６】
引抜片の一端部を上方に折り返してその折り返し端部を薄膜密閉片の下面中央部に粘着剤層を介して貼着していることを特徴とする請求項３に記載の救急用絆創膏。
【発明の詳細な説明】
【技術分野】
【０００１】  本発明は、使用時に薬液をパッドに含浸させたのち、該パッドを創傷口等の患部の皮膚面に貼着して患部の治療や消毒等を行うようにした薬液封入室を備えた救急用絆創膏の改良に関するものである。
【背景技術】
【０００２】  従来から、創傷部等の患部をより効果的に消毒、治療を行う救急用絆創膏として、粘着シート上に貼着しているパッドに薬液を含浸させたのち、このパッドを患部に貼着して使用するものが知られている。例えば、薬液を封入してなるカプセル体をパッドの上面に重ね合わせ、使用時に該カプセル体の上部を下方に向かって押圧、変形させることによってその上部の内面に下方に向かって突設している先端が先鋭な突起でカプセル体の底面を形成しているアルミ箔製の薄膜を破壊し、カプセル体内の薬液をパッド上に流出、含浸させるように構成した救急用絆創膏が一般に知られている。【０００３】  しかしながら、カプセル体の底面を形成しているアルミ箔製の薄膜上面に近接させた状態にして、カプセル体の上部内面に先端が先鋭な突起を設けておくと、取扱時や携行中等にカプセル体の上面に僅かな押圧力が作用しても薄膜片が突起により破壊され、不使用時にもかからず内部の薬液がカプセル体から漏出してパッド内に含浸し、製品としての用を足さなくなるという問題点があった。【０００４】  このため、本願出願人等は特許文献１に示すように、使用時には押圧することなくカプセル体等の薬液封入室の開口下端部を閉止しているアルミ箔等の薄膜密閉片を開放するように構成した救急用絆創膏を開発した。この救急用絆創膏は、具体的には上記薄膜密閉片を長い帯状形状に形成してその先端部により薬液封入室の下端開口部を閉止させると共に、該先端部から下方に折り返して、粘着シートの上面中央部に貼着しているパッド上に該先端部と折り返し部とを載置し、薬液封入室を粘着シート上に剥離可能に貼着している剥離紙によって保持させると共にこの剥離紙から上記薄膜密閉片の他端部を外部に引抜片として延出させた構造としている。【０００５】  そして、使用時には、引抜片を引っ張ることによって薬液封入室の開口下端部を閉止している薄膜密閉片の一端部を剥離し、薬液封入室の下端部を開放して内部の薬液をパッドに含浸させるようにしている。
【特許文献１】  登録実用新案第１８９３５３３号公報
【発明の開示】
【発明が解決しようとする課題】
【０００６】  しかしながら、薄膜密閉片の一端部は、薬液封入室の開口下端から外方に向かって水平に突設している四方のフランジ部の下面に接着剤によって一体に接着しているために、薄膜密閉片の上記他端引抜片を引っ張って薬液封入室の開口下端部を閉止している一端部を剥離しようとしても極めて大きな引張力を要して簡単に剥離させることができず、薄膜密閉片がアルミ箔等の破断しやすいフィルム片からなる場合には薬液封入室の開口下端部を全面的に開放する前に千切れてしまう虞れがあった。【０００７】  さらに、薄膜密閉片の剥離によって薬液封入室の開口下端部を全面的に開放させるように構成しているので、薬液封入室の上面を指先でパッド上に押し付けることにより薬液封入室を保持した状態で薬液封入室の開口下端部から薄膜密閉片の一端部を剥離していくと、薄膜密閉片の一端部が剥離されるに従ってパッドの両側端部と薄膜密閉片の両側端部間との隙間を通じて薬液封入室の両側端から薬液が外部に流出し、さらには飛び散る事態が発生して使用勝手が極めて悪くなるばかりでなく、薬液の有効量の減少と共にパッドの中央部よりも外側部に薬液が多く含浸することになって薬効が低下するという問題点があった。【０００８】  本発明は上記のような問題点に鑑みてなされたもので、その目的とするところは、使用時には薬液封入室内の薬液を外部に流出させたり噴出させることなく、パッドの中央部に確実且つ集中的に薬液を含浸させることができるようにした救急用絆創膏を提供するにある。
【課題を解決するための手段】
【０００９】  上記目的を達成するために本発明の請求項１に係る救急用絆創膏は、粘着シートの上面中央部に貼着したパッド上に底面開口部が薄膜密閉片により閉止されている薬液封入室を配設し、この薬液封入室を粘着シート上に剥離自在に貼着した剥離紙により上記パッド上に保持していると共に上記薄膜密閉片の下面とパッドの上面間に一端が該薄膜密閉片の一端に連設し且つ他端部が薄膜密閉片の他端側からパッドの上方側に引き出されてなる引抜片を介在させて該引抜片の他端部を張引することにより薬液封入室の底面開口部から薄膜密閉片を剥離するように構成した救急用絆創膏において、上記薄膜密閉片と引抜片とをこれらの薄膜密閉片と引抜片との長さ方向に延伸した一軸延伸フィルムにより形成していると共に、引抜片の幅を薄膜密閉片よりも小幅に形成してその一端を薄膜密閉片の幅方向の一端中央部に折り返し状態に一体に連設してなる構造としている。【００１０】  このように構成した救急用絆創膏において、請求項２に係る発明は、上記薬液封入室の底面開口部の周縁に水平状に突設したフランジ部の下面に薄膜密閉片の上面における四方周縁部を接着し、この薄膜密閉片の一端部を上記接着剤層から外方に突出した非接着部にしてこの非接着部に引抜片の幅と同一幅でもって互いに平行なスリットを形成し、このスリット間の薄膜密閉片の一端部に引抜片を一体に連設していることを特徴とする。【００１１】  請求項３に係る発明は、上記目的を達成するための別な構成を有する救急用絆創膏であって、粘着シートの上面中央部に貼着したパッド上に底面開口部がアルミ箔よりなる薄膜密閉片で閉止された薬液封入室を配設し、この薬液封入室を粘着シート上に剥離自在に貼着した剥離紙により上記パッド上に保持させてなる救急用絆創膏において、上記アルミ箔よりなる薄膜密閉片とパッド間に合成樹脂シート片よりなる引抜片の一端部を介在させて該一端部を薄膜密閉片の下面の中央部にのみ接着剤層を介して一体に接着し、他端部を薄膜密閉片の他端側からパッドの上方側に引き出して該他端部を張引することにより上記薄膜密閉片の中央部を破壊させて開口させるように構成している。【００１２】  このように構成した救急用絆創膏において、請求項４に係る発明は、上記引抜片の一端部を上方に折り返してその折り返し端部を薄膜密閉片の下面中央部に接着剤層を介して接着していることを特徴とする。【００１３】  請求項５に係る発明は、上記目的を達成するためのさらに別な構成を有する救急用絆創膏であって、粘着シートの上面中央部に貼着したパッド上に底面開口部が合成樹脂シート材よりなる薄膜密閉片で閉止された薬液封入室を配設し、この薬液封入室を粘着シート上に剥離自在に貼着した剥離紙により上記パッド上に保持させてなる救急用絆創膏において、上記薄膜密閉片の中央部に薬液流出口を設けている一方、この薄膜密閉片と上記パッド間に合成樹脂シート片よりなる引抜片の一端部を介在させて該一端部を粘着剤層を介して上記薬液流出口の周縁部に剥離可能に貼着して薬液流出口を閉止していると共にこの引抜片の他端部を薄膜密閉片の他端側からパッドの上方側に引き出して該他端部を張引することにより上記薄膜密閉片の薬液流出口を開口させるように��成している。【００１４】  このように構成した救急用絆創膏において、請求項６に係る発明は、上記引抜片の一端部を上方に折り返してその折り返し端部を薄膜密閉片の下面中央部に粘着剤層を介して貼着していることを特徴とする。
【発明の効果】
【００１５】  請求項１に係る発明によれば、パッド上に載置した薬液封入室の底面開口部を閉止している薄膜密閉片とこの薄膜密閉片の引抜片とをその長さ方向に延伸した一軸延伸フィルムより形成し、且つ引抜片の幅を薄膜密閉片の幅よりも小幅にしてその一端を薄膜密閉片の幅方向の一端中央部に折り返し状態で一体に連設しているので、使用時に、パッドの上方側に引き出されている引抜片の他端部を引っ張ることによって薄膜密閉片の幅方向の中央部のみを剥離することができ、従って、薬液封入室の底面開口部を全面的に開口させることなく、その中央部のみを開口させて薬液をパッド外に殆ど漏出させることなく該パッドの中央部に集中的に含浸させることができ、創傷部等の患部を効果的に消毒、治療することができる。【００１６】  さらに、薄膜密閉片よりも小幅の引抜片の引っ張りによって、薬液封入室の四方周縁部の開口端に接着している薄膜密閉片の一端側の中央部のみの接着部分を剥離するだけで、薬液封入室を開口させることができ、従って、小さな引張力によって円滑且つ確実に開口させることができて使用勝手が良くなるものである。【００１７】  そして、請求項２に係る発明によれば、上記薬液封入室の底面開口部の周縁に水平状に突設したフランジ部の下面に薄膜密閉片の上面における四方周縁部を接着し、この薄膜密閉片の一端部を上記接着剤層から外方に突出した非接着部にしてこの非接着部に引抜片の幅と同一幅でもって互いに平行なスリットを形成し、このスリット間の薄膜密閉片の一端部に引抜片を一体に連設しているので、引抜片を引っ張れば、スリット部分からこの引抜片の幅でもって薄膜密閉片を全長に亘り簡単且つ確実に剥離することができ、使用時における薬液封入室の外面中央部の開口操作が一層、正確に素早く行うことができる。【００１８】  一方、請求項３に係る発明によれば、パッド上に載置した薬液封入室の底面開口部を閉止している薄膜密閉片をアルミ箔より形成し、このアルミ箔よりなる薄膜密閉片の下面中央部にのみ、引張強度がアルミ箔より大きい合成樹脂シート片よりなる引抜片の一端部を接着しているので、使用時にこの引抜片の他端部を引っ張ることによって該引抜片の一端部が接着しているアルミ箔よりなる薄膜密閉片の下面中央部のみにその引張力を作用させて該薄膜密閉片の中央部を確実に破壊することができ、従って、薬液封入室の底面開口部を全面的に開口させることなく、その中央部のみを開口させて薬液をパッド外に殆ど漏出させることなく該パッドの中央部に集中的に含浸させることができる。【００１９】  この場合、請求項４に記載したように、引抜片の一端部を上方に折り返してその折り返し端部を薄膜密閉片の下面中央部に接着剤層を介して接着しておくことにより、引抜片の引張力が薄膜密閉片に対して該薄膜密閉片を引き起こす方向に作用して剥離させようとする作用力を増大させることができ、従って、薄膜密閉片の中央部を小さな引張力によって簡単且つ確実に破壊させることができて、薬液封入室の底面開口部の中央部からパッドの中央部に薬液を集中的に含浸させることができる。【００２０】  また、請求項５に係る発明によれば、パッド上に載置した薬液封入室の底面開口部を閉止している薄膜密閉片の中央部に薬液流出口を設ける一方、この薬液流出口に粘着剤層を介して引抜片の一端部を貼着して該引抜片により薬液封入口を閉止しているので、使用時にこの引抜片の他端部を引っ張ることによって引抜片の一端部を薄膜密閉片の中央部に設けている薬液流出口から簡単に剥離させることができ、従って、薄膜密閉片を何等剥離することなく該薄膜密閉片の中央部に設けている該薬液流出口のみを全面的に開口させてその薬液流出口からパッドの中央部に薬液を集中的に含浸させることができる。【００２１】  この際、請求項６に記載したように、引抜片の一端部を上方に折り返してその折り返し端部を薄膜密閉片の下面中央部に粘着剤層を介して接着しておくことにより、引抜片の引っ張りによる薄膜密閉片の剥離力が増大して引抜片を小さな引張力によって簡単且つ確実に薄膜密閉片の下面から剥離することができ、薄膜密閉片を破壊することなくその中央部に設けている該薬液流出口のみを全面的に円滑に開口させることができる。
【発明を実施するための最良の形態】
【００２２】  次に、本発明の具体的な実施の形態を図面について説明すると、図１、図２において、救急用絆創膏の基体となる粘着シート１は、柔軟性を有する薄い合成樹脂製フィルム又は不織布、織布、紙等からなる一定幅と一定長さを有する長方形状のシート片の上面全面に粘着剤層２を層着してなり、この粘着シート１の上面中央部に、殺菌消毒された一定厚みを有する不織布又はガーゼ等の布帛からなる平面矩形状のパッド３を貼着している。【００２３】  このパッド３の上面には該パッド３よりもやや面積が小さい平面矩形状の薬液封入室４が載置状態で配設されている。この薬液封入室４は透明ないしは半透明のポリプロピレン等のプラスチックフィルム片を膨出、成形して矩形状の上壁面の四方から下方に向かって適宜高さを有する周壁を一体に設け且つ下端が全面的に開口しているブリスター形状に形成されていると共にその下端周縁に、外方に向かって水平状に突設した前後及び両側フランジ部４ａ〜４ｄを一体に形成してなり、これらのフランジ部４ａ〜４ｄの下面に薄膜密閉片５を接着剤層６によって接着して該薄膜密閉片５により薬液封入室４の底面開口部を密閉し、薬液封入室４内に殺菌消毒液や鎮痛剤、止血剤等の薬液７を封入している。なお、フランジ部４ａ〜４ｄの四方端面の形状は上記パッド３の四方端面と略同一大きさ、同一形状に形成されている。【００２４】  この薄膜密閉片５はその長さ方向、即ち、上記薬液封入室４の前後方向に延伸されている一軸延伸フィルムよりなり、図３〜図５に示すように、その幅を薬液封入室４の両側フランジ部４ｃ、４ｄの突出端間の幅に略等しい幅に形成して上面を薬液封入室４のフランジ部の下面に全周に亘って上述したように接着剤層６で一体に接着していると共に、薬液封入室４の前後方向の一端部側のフランジ部４ａに接着している該薄膜密閉片５の一端部における幅方向の中央部に、薬液封入室４の底面開口部の幅よりも小さい間隔を存してその一端面から接着部層６に達する互いに平行なスリット８、８を形成してあり、さらに、このスリット８、８間の薄膜密閉片５の一端部中央を該スリット８、８間と同一幅でもって延設して一定長さの引抜片９に形成し、この引抜片９における薄膜密閉片５の一端部と連設した一端部を薄膜密閉片５の下面側に重なるように折り返していると共に該引抜片９の他端部を薬液封入室４の後側（他端側）フランジ部４ｂに設けている細長長方形状のガイド孔１０を通じて上方に引き出して摘まみ部９’に形成している。なお、このようなガイド孔１０を設けることなく、この摘まみ部９’を薬液封入室４の他端面側に沿って上方に引き出しておいてもよい。【００２５】  この薄膜密閉片５によって底面開口部を閉止されている薬液封入室４は図１、図２に示すように、薄膜密閉片５の下面側に折り重ねている引抜片９を介して上記パッド３上に載置されていると共に、上記粘着シート１の粘着剤層２上に粘着シート１と同一幅を有する一対の剥離紙１１、１２を貼着してこれらの剥離紙１１、１２により薬液封入室４をパッド３上に保持している。具体的には、一方の剥離紙１１を他方の剥離紙１２よりも長い長方形状に形成してこの剥離紙１１の一半部を粘着剤層２に貼着させ、他半部側に薬液封���室４を挿通状態で嵌合させた保持孔１３を設けてこの保持孔１３の下面周縁部を薬液封入室４の四方のフランジ部４ａ〜４ｄの上面に接着剤（図示せず）によって接着していると共に両剥離紙１１、１２の対向端部間に上記引抜片９の摘まみ部９’を挿通状態で介在させている。なお、保持孔１３の下面周縁を薬液封入室４のフランジ部の上に一体に接着することなく単に押し付けた状態にして薬液封入室４を保持しておいてもよい。【００２６】  このように構成した救急用絆創膏は、使用に際して、剥離紙１１、１２の接合端部間から突出している引抜片９の摘まみ部９’を引っ張ると、該引抜片９の一端と薬液封入室４を閉止している薄膜密閉片５との連設部分に設けているスリット８、８間の薄膜密閉片５の幅方向の中央部が、図５に示すように接着層部分６から剥離したのち下方に捲れるようにして該薄膜密閉片５の長さ方向に全長に亘って剥離され、薬液封入室４の底面開口部における幅方向の中央部のみ開口させてその開口部から薬液封入室４内の薬液７が下方のパッド３の幅方向の中央部に浸透、含浸したのち、幅方向に拡散する。こうして、パッド３に薬液７が含浸すると、剥離紙１１、１２を粘着シート１から剥離して該剥離紙１１、１２と空になった薬液封入室４を除去し、パッド３を創傷面に当てがって粘着シート１を創傷部に貼着するものである。【００２７】  図６〜図９は本発明の別な構造を有する救急用絆創膏の実施の形態を示すもので、上記発明における実施の形態では、薄膜密閉片５と引抜片９とを長さ方向に延伸した一軸延伸フィルムよりなり、引抜片９を引っ張ることによって薄膜密閉片５の幅方向の中央部をスリット８、８を介して全長に亘り剥離するように構成したが、この発明の実施の形態においては、薬液封入室４の底面開口部を閉止している薄膜密閉片５Ａをアルミ箔より形成してこの薄膜密閉片５Ａの幅方向及び長さ方向の中央部を合成樹脂シート片よりなる引抜片９Ａの引っ張りによって破壊、開口させるように構成している。【００２８】  具体的には、上記粘着シート１の粘着剤層２の上面中央部に貼着した平面矩形状のパッド３上に底面開口部が薄膜密閉片５Ａによって閉止されている薬液封入室４を配設し、この薬液封入室４を粘着シート１上に剥離自在に貼着した剥離紙１１、１２により上記パッド３上に保持させてなる救急用絆創膏において、薄膜密閉片５Ａを平面形状が薬液封入室４の四方のフランジ部４ａ〜４ｄの外周形状に等しい平面矩形状のアルミ箔より形成してこのアルミ箔よりなる薄膜密閉片５Ａの上面における四方端部を全周に亘って薬液封入室４のフランジ部４ａ〜４ｄの下面に接着剤層６により接着して薬液封入室４の底面開口部を密閉し、薬液封入室４内に殺菌消毒液や鎮痛剤、止血剤等の薬液７を封入している。【００２９】  さらに、この薄膜密閉片５Ａよりも小幅に形成され且つアルミ箔よりも引っ張り強度の大きい帯状の合成樹脂シート片よりなる引抜片９Ａの一端部上面を薄膜密閉片５Ａの下面の幅方向及び長さ方向の中央部のみに接着剤１４を介して一体に接着し、他端部を上記同様に薬液封入室４の後側（他端側）フランジ部４ｂに設けている細長長方形状のガイド孔１０を通じて上方に引き出すか、或いは、このようなガ��ド孔１０を設けることなく薬液封入室４の他端面側に沿って上方に引き出している。この引抜片９Ａの一端部は折り返すことなく薄膜密閉片５Ａの下面中央部に接着剤１４によって一体に接着しておいてもよいが、図においては、その一端部を上方に折り返してそのおり返し端部を薄膜密閉片５Ａの下面中央部に接着剤１４を介して一体に接着している。【００３０】  この薄膜密閉片５Ａによって底面開口部を閉止されている薬液封入室４は上記発明における実施の形態と同様に、薄膜密閉片５Ａの下面側に折り重ねている引抜片９Ａを介して上記パッド３上に載置されていると共に、上記粘着シート１の粘着剤層２上に粘着シート１と同一幅を有する一対の剥離紙１１、１２を貼着してこれらの剥離紙１１、１２により薬液封入室４をパッド３上に保持している。具体的には、一方の剥離紙１１を他方の剥離紙１２よりも長い長方形状に形成してこの剥離紙１１の一半部を粘着剤層２に貼着させ、他半部側に薬液封入室４を挿通状態で嵌合させた保持孔１３を設けてこの保持孔１３の下面周縁部を薬液封入室４の四方のフランジ部４ａ〜４ｄの上面に接着剤（図示せず）によって接着していると共に両剥離紙１１、１２の対向端部間に上記引抜片９Ａの摘まみ部９’を挿通状態で介在させている。なお、保持孔１３の下面周縁を薬液封入室４のフランジ部の上に一体に接着することなく単に押し付けた状態にして薬液封入室４を保持しておいてもよい。【００３１】  このように構成した救急用絆創膏は、使用に際して、剥離紙１１、１２の接合端部間から突出している引抜片９Ａの摘まみ部９’を引っ張ると、該引抜片９Ａの一端が接着しているアルミ箔よりなる薄膜密閉片５Ａの下面中央部がその引張力によって図９に示すように捲れ上がるように破壊され、薬液封入室４内の薬液７がその破壊した底面の中央部から下方のパッド３の幅方向の中央部に浸透、含浸したのち、幅方向に拡散する。こうして、パッド３に薬液７が含浸すると、剥離紙１１、１２を粘着シート１から剥離して該剥離紙１１、１２と空になった薬液封入室４を除去し、パッド３を創傷面に当てがって粘着シート１を創傷部に貼着するものである。この場合、アルミ箔よりなる薄膜密閉片５Ａの中央部に引抜片９Ａの一端部を接着させている上記接着剤１４として、図７、図８に示すように、薄膜密閉片５Ａの破壊開始側の先端部が幅狭く破壊される方向に向かって徐々に広がったＶ字状の接着剤層としておくことによって、引抜片９Ａを引っ張った時に薄膜密閉片５Ａの中央部の破壊を集中的に確実に行わせることができる。【００３２】  図１０〜図１３は本発明のさらに別な構造を有する救急用絆創膏の実施の形態を示すもので、薬液封入室４の底面開口部を閉止している薄膜密閉片５Ｂを破壊強度の強い合成樹脂シート材より形成してこの薄膜密閉片５Ｂの幅方向及び長さ方向の中央部に円形状、矩形状等の適宜な形状の薬液流出口１５を上下面間に亘って貫通した状態で設けてあり、この薬液流出口１５を合成樹脂シート片よりなる引抜片９Ｂの一端部によって閉止しておき、使用時には該引抜片９Ｂを引っ張ることによって薬液流出口１５を開口させるように構成している。【００３３】  具体的には、上記粘着シート１の粘着剤層２の上面中央部に貼着した平面矩形状のパッド３上に底面開口部に上記薄膜密閉片５Ｂを接着している薬液封入室４を配設し、この薬液封入室４を粘着シート１上に剥離自在に貼着した剥離紙１１、１２により上記パッド３上に保持させてなる救急用絆創膏において、薄膜密閉片５Ｂを平面形状が薬液封入室４の四方のフランジ部４ａ〜４ｄの外周形状に等しい平面矩形状の合成樹脂シート材（合成樹脂製薄板であってもよい）よりなる薄膜密閉片５Ｂの上面における四方端部を全周に亘って薬液封入室４のフランジ部４ａ〜４ｄの下面に接着剤層６により接着し、さらに、この薄膜密閉片５Ｂよりも小幅に形成されている帯状の合成樹脂シート片よりなる引抜片９Ｂの一端部上面を薄膜密閉片５Ｂの中央部に設けている上記薬液流出口１５の開口下端の周縁部に粘着剤層１６を介して剥離可能に貼着することによりこの引抜片９Ｂの一端部で薬液流出口１５を密閉し、薬液封入室４内に殺菌消毒液や鎮痛剤、止血剤等の薬液７を封入している。【００３４】  この引抜片９Ｂの他端部は上記同様に薬液封入室４の後側（他端側）フランジ部４ｂに設けている細長長方形状のガイド孔１０を通じて上方に引き出すか、或いは、このようなガイド孔１０を設けることなく薬液封入室４の他端面側に沿って上方に引き出されている。なお、この引抜片９Ｂの一端部は折り返すことなくその上面を粘着剤層１６を介して上記薬液流出口１５の下端周縁部に貼着しておいてもよいが、図においては、その一端部を上方に折り返してそのおり返し端部を薬液流出口１５を設けている薄膜密閉片５Ｂの下面中央部に粘着剤層１６を介して剥離可能に貼着している。【００３５】  この薄膜密閉片５Ｂと引抜片９Ｂとによって底面開口部が閉止されている薬液封入室４は上記発明における実施の形態と同様に、薄膜密閉片５Ｂの下面側に折り重ねている引抜片９Ｂを介して上記パッド３上に載置されていると共に、上記粘着シート１の粘着剤層２上に粘着シート１と同一幅を有する一対の剥離紙１１、１２を貼着してこれらの剥離紙１１、１２により薬液封入室４をパッド３上に保持している。具体的には、一方の剥離紙１１を他方の剥離紙１２よりも長い長方形状に形成してこの剥離紙１１の一半部を粘着剤層２に貼着させ、他半部側に薬液封入室４を挿通状態で嵌合させた保持孔１３を設けてこの保持孔１３の下面周縁部を薬液封入室４の四方のフランジ部４ａ〜４ｄの上面に接着剤（図示せず）によって接着していると共に両剥離紙１１、１２の対向端部間に上記引抜片９Ｂの摘まみ部９’を挿通状態で介在させている。なお、保持孔１３の下面周縁を薬液封入室４のフランジ部の上に一体に接着することなく単に押し付けた状態にして薬液封入室４を保持しておいてもよい。【００３６】  このように構成した救急用絆創膏は、使用に際して、剥離紙１１、１２の接合端部間から突出している引抜片９Ｂの摘まみ部９’を引っ張ると、薬液封入室４の底面開口部を閉止している薄膜密閉片５Ｂにおいて、その中央部に設けている薬液流出口１５を密閉した該引抜片９Ｂの一端が引張力によって粘着剤層１６から図１３に示すように捲れるようにしながら簡単に剥がれ、薬液流出口１５が開口して薬液封入室４内の薬液７がその薬液流出口１５から下方のパッド３の幅方向の中央部に浸透、含浸したのち、幅方向に拡散する。こうして、パッド３に薬液７が含浸すると、剥離紙１１、１２を粘着シート１から剥離して該剥離紙１１、１２と空になった薬液封入室４を除去し、パッド３を創傷面に当てがって粘着シート１を創傷部に貼着するものである。
【図面の簡単な説明】
【００３７】
【図１】剥離紙を部分的に剥離した状態の斜視図。
【図２】使用前の縦断側面図。
【図３】その薬液封入室の底面側の斜視図。
【図４】その底面図。
【図５】薄膜密閉片を剥離している状態の斜視図。
【図６】本発明の別な救急用絆創膏の縦断側面図。
【図７】その薬液封入室の底面側の斜視図。
【図８】その底面図。
【図９】薄膜密閉片を剥離している状態の斜視図。
【図１０】本発明のさらに別な救急用絆創膏の縦断側面図。
【図１１】その薬液封入室の底面側の斜視図。
【図１２】その底面図。
【図１３】薬液流出口を開口させている状態の斜視図。
【符号の説明】
【００３８】１    粘着シート
３    パッド
４    薬液封入室
５    薄膜密閉片
６    接着剤層
８    スリット
９    引抜片
１１、１２  剥離紙
１４  接着剤
１５  薬液流出口
１６  粘着剤層
【図１】
2005288080.tif 000003
【図２】
2005288080.tif 000004
【図３】
2005288080.tif 000005
【図４】
2005288080.tif 000006
【図５】
2005288080.tif 000007
【図６】
2005288080.tif 000008
【図７】
2005288080.tif 000009
【図８】
2005288080.tif 000010
【図９】
2005288080.tif 000011
【図１０】
2005288080.tif 000012
【図１１】
2005288080.tif 000013
【図１２】
2005288080.tif 000014
【図１３】
2005288080.tif 000015